(57)【特許請求の範囲】
【請求項１】
一方の壁と他方の壁とを上隔壁によって区画して形成し上流側に設けられた２列の球通路と、前記２列の球通路の下方に位置する球寄せ案内路と、前記球寄せ案内路により２列のパチンコ球を交互に割り込ませて１列に規制誘導されたパチンコ球を１個ずつ送出する下流側の送出路とを設けて形成し、
前記送出路は、前記２列の球通路を構成する上隔壁の真下に位置するようにし、
前記球寄せ案内路は、一方側を下方内側へ直線的に傾斜する直線傾斜面部とし、該直線傾斜面部に対向する他方側を外方へ膨出して下方内側へ傾斜する湾曲斜面部として形成し、さらに前記球寄せ案内路の導入部を前記２列の球通路のパチンコ球が球半個分の差で交互に流入するような幅に設定したことを特徴とするパチンコ機のパチンコ球整流装置。
【請求項２】
一方の壁と他方の壁とを上隔壁によって区画して形成し上流側に設けられた２列の球通路と、前記２列の球通路の下方に位置する球寄せ案内路と、前記球寄せ案内路により２列のパチンコ球を交互に割り込ませて１列に規制誘導されたパチンコ球を１個ずつ送出する送出路とを設けて形成し、
前記送出路は、前記２列の球通路を構成する上隔壁の真下に位置するようにし、
前記球寄せ案内路は、一方側を下方内側へ直線的に傾斜する直線傾斜面部とし、該直線傾斜面部に対向する他方側を下方内側へ傾斜する折曲斜面部と外方へ膨出して下方内側へ傾斜する湾曲斜面部として形成し、さらに前記球寄せ案内路の導入部を前記２列の球通路のパチンコ球が球半個分の差で交互に流入するような幅に設定したことを特徴とするパチンコ機のパチンコ球整流装置。
【発明の詳細な説明】
【０００１】
【発明の属する技術分野】
本発明は、球タンクから供給されるパチンコ球の球通路を、２列から１列に変更整流してパチンコ球放出装置へ送り出すパチンコ機のパチンコ球整流装置に関し、特に、通路自体の形状的な構造により、２列の球通路を１列に規制してパチンコ球を確実に１個づつ順番に送出誘導するようにしたものである。
【０００２】
【従来の技術】
最近のパチンコ機のパチンコ球放出装置は、パチンコ球を１個単位で計数するようにし、入賞球ごとに放出されるパチンコ球の定量数を１個単位に設定、変更調整できるようにした構造のものが提供されているが、このようなパチンコ球放出装置へは、球タンクからそれぞれ２列に整流した誘導樋の各列のパチンコ球を１個づつ交互に順番に制御して送り出してやらなければならない。
【０００３】
このような２列の球通路の各列のパチンコ球を１個単位で制御して前記パチンコ球放出装置へ送り出す機構として、外周に数個の円弧面とパチンコ球が嵌入し得る凹窪を等間隔で形成した円盤状になる回転体を前記２列の各列の球通路ごとに１個設置し、各列の回転体は互いの円弧面の１個分に対する半ピッチを回転方向へ変位させて並列に設置し、一方の回転体の円弧面が一方の球通路に臨んでいるとき、他方の回転体の凹窪が他方の球通路に臨んで互いの回転体の円弧面と凹窪が各列の球通路に食い違い状に臨ませることにより、各列のパチンコ球を１個づつ所定のタイミング差を以て交互に取り込んで送出すようにしている。
【０００４】
そして、これら２列の球通路に並列設置した２個の回転体を回転駆動させる手段として、球通路の傾斜により上方からの球圧を受けて回転駆動する方法によるもの（特公平５−５５１５号公報参照）、或は、動力装置により２個の回転体を交互に回転させる方法を用いたもの（特開昭６１−７６１８１号公報参照）等が開示されている。
【０００５】
【発明が解決しようとする課題】
従来の技術で説明したような２列の球通路の各列のパチンコ球を１個単位で放出制御する機構は、２列の球通路にそれぞれ個々に設置する２個の回転体が必要であり、これら２個の回転体は回転体の円弧面と凹窪が各列の球通路に食い違い状に臨ませるための所定のピッチ差を有して設置しなければならず、しかも円盤状の回転体はそれぞれの球通路を通過するパチンコ球の中心となる位置に設置しなければならないために、部品点数が多く、組み立ても精度が要求される困難なものであった。
【０００６】
また、動力装置により回転体を駆動させる方法では部品点数が更に多く、構造も複雑となり、しかも、動力装置の設置スペ−スの確保と、困難な組み立て作業を余儀なくされている。その結果、生産効率が悪く経済性も良くないものであった。それ故に、部品点数を少なくして構造を簡素化することが望まれている。
【０００７】
本発明は、上記の点に鑑みてなされたものであって、その目的とするところは、２列の球通路が合流する球寄せ案内路を設け、この球寄せ案内路を案内路自体の通路形状により、球寄せ案内路に納まる２列のパチンコ球を１列に規制整流し、球寄せ案内路から１個づつ順番に制御して送り出すように形成し、簡素化した構造により、組み立て作業も容易にし、しかも狭い設置スペ−スに楽々納めて設置することを可能にしたパチンコ球整流装置を提供するものである。
【０００８】
【課題を解決するための手段】
上記目的を達成するために、本発明に係るパチンコ機のパチンコ球整流装置は、上流側に位置する２列の球通路と、これら２列の球通路を１列に変更案内する球寄せ案内路と、球寄せ案内路により２列のパチンコ球を１列に規制誘導されたパチンコ球を１個づつ送出する下流側の送出路を設けて形成し、前記球寄せ案内路は一方側に下方内側へ直線的に傾斜する直線傾斜部を設け、他方側に下方内側へ傾斜する折曲面部を介して外方へ膨出して下方内側へ傾斜する湾曲斜面部を設けて形成する。
【０００９】
【発明の実施の形態】
本発明の実施の形態を図面を参照して説明すると、図１はパチンコ機の概略裏面図を示し、１は遊技盤、２は遊技盤の後面に設置された機構板、３は機構板の上方に設けられた球タンク、４は上流側を球タンクに接続し、下流側で２列の通路部を有して形成された誘導樋、５はパチンコ球を１個単位で計数して所定個数のパチンコ球を下端に接続する排出路６を介してパチンコ機の表面に設けた球受皿（図示せず）に放出するパチンコ球放出装置をそれぞれ示す。
【００１０】
本発明に係るパチンコ球整流装置７は、図２及び図３に示すように、上流側にパチンコ球が並ぶ２列の球通路８ａ，８ｂと、これら２列の球通路８ａ，８ｂを合流させて１列に変更案内する球寄せ案内路９と、この球寄せ案内路９で１列に規制して誘導されたパチンコ球を１個づつ送出する下流側の１列の送出路１０を有して形成し、上流側の２列の球通路８ａ，８ｂを前記誘導樋４に接続し、下流側の送出路１０をパチンコ球放出装置５に接続設置して構成する。
【００１１】
【実施例】
本発明のパチンコ球整流装置７は、図２に示すように、カ−ブ壁１１、前壁１２、後壁１３により通路構成枠として組立てられる。前記カ−ブ壁１１は上面部１１ａから湾曲部１１ｂを介して垂直に延長する側面部１１ｃを有して形成され、このカ−ブ壁１１は上面部１１ａから湾曲部１１ｂに至る内面中央に隔壁１４を突設して該隔壁１４の両側に前記上面部１１ａから湾曲部１１ｂに至りパチンコ球が並ぶ２列の球通路８ａ，８ｂを設けると共に、これら２列の球通路８ａ，８ｂの下流側に垂直な背面壁１５が一体に延長設置され、前記隔壁１４の下端で前記２列の球通路８ａ，８ｂが合流する球寄せ案内路９が設けられ、前記球寄せ案内路９の下流側にパチンコ球が１個づつ１列に送り出される送出路１０が形成される。
【００１２】
前記球寄せ案内路９は後壁１３の前記隔壁１４の終端位置から下方内側へ直線状に傾斜する直線斜面部１６と、前壁１２の前記隔壁１４の終端位置から下方内側へ傾斜する短い折曲斜面部１７を介して外方へ膨出して内側下方へ傾斜する湾曲斜面部１８によって形成され、前記送出路１０を前記隔壁１４の真下に位置させて設置し、前記球寄せ案内路９の両側に設けた一方側の直線斜面部１６と他方側の湾曲傾斜部１８との下端は、前記隔壁１４の真下に位置する送出路１０に連通設置して形成する。
【００１３】
図３（イ）〜（ニ）は、本発明のパチンコ球整流装置におけるパチンコ球の整流状態を断面で示す作用図で、パチンコ球整流装置７は上流側の２列の球通路８ａ，８ｂを球タンク３に接続する誘導樋４の２列に整流した通路部にそれぞれ接続し、下流側の送出路１０をパチンコ球放出装置５に接続して設置され、前記誘導樋４の２列の球通路部からパチンコ球整流装置７の球通路８ａにパチンコ球Ａ1 ，Ａ2 ，Ａ3 …が流入し、球通路８ｂにパチンコ球Ｂ1 ，Ｂ2 ，Ｂ3 …が流入し、これらの球通路８ａ，８ｂのパチンコ球Ａ1 とＢ1 が球寄せ案内路９に流入する。
【００１４】
前記球寄せ案内路９に流入した湾曲斜面部１８の側のパチンコ球Ａ1 ，Ａ2 ，Ａ3 …と直線斜面部１６の側のパチンコ球Ｂ1 ，Ｂ2 ，Ｂ3 …とは、図３（イ）に示すように、球寄せ案内路９の下部に位置するパチンコ球Ａ1 には、湾曲斜面部１８の下端部で水平方向へのモーメントが大きくなり、直線斜面部１６の側のパチンコ球Ｂ1 の下に割り込む力が働き、湾曲斜面部１８の中間の外側へ膨出する位置にあるパチンコ球Ａ2 に対しては直線斜面部１６のパチンコ球Ｂ1 に水平方向へのモーメントが大きくなって、このパチンコ球Ｂ1 がパチンコ球Ａ2 の下に割り込む力が働く。また、パチンコ球Ａ1 の割り込みにより球通路８ｂのパチンコ球Ｂ1 ，Ｂ2 ，Ｂ3 …の流下速度はパチンコ球の約半個分の差が生じ、球通路８ａのパチンコ球Ａ1 ，Ａ2 ，Ａ3 …と球通路８ｂのパチンコ球Ｂ1 ，Ｂ2 ，Ｂ3 …とは球半個分の差を有して交互に球寄せ案内路９に流入する。
【００１５】
そして、図３（ロ）に示すように、パチンコ球Ａ1 が送出路１０に入ると、パチンコ球Ｂ1 は湾曲斜面部１８の膨らみに位置するパチンコ球Ａ2 に対して水平方向のモーメントが大きくなってパチンコ球Ａ1 とＡ2 の間に割り込み、図３（ハ）に示すように、パチンコ球Ｂ1 はパチンコ球Ａ2 に優先して送出路１０へ送出され、次に、図３（ニ）に示すように、球寄せ案内路９の下部に流下したパチンコ球Ａ2 に水平方向に大きなモーメントが働いてパチンコ球Ｂ2 の下に割り込む。このようにして、パチンコ球Ａ1 ，Ａ2 ，Ａ3 …とパチンコ球Ｂ1 ，Ｂ2 ，Ｂ3 …とは球寄せ案内路９により交互に１個づつ確実に送出路１０へ送出される。
【００１６】
以上のように、２列の球通路８ａ，８ｂの各パチンコ球Ａ1 ，Ａ2 ，Ａ3 …とＢ1 ，Ｂ2 ，Ｂ3 …は各球通路８ａ，８ｂから球半個分の差で球寄せ案内路９に流入し、直線斜面部１６と、湾曲斜面部１８の下部傾斜及び中間の膨出部との水平方向のモーメントの働きによって直線斜面部１６の側のパチンコ球と湾曲斜面部１８側のパチンコ球とが交互に割り込みあって１列に整流され、パチンコ球の落下順序を正確に規制し、１個づつ順番に送出路１０へ誘導送出する。そして次のパチンコ球を同じ動作を繰り返しながら送出路１０へ１個づつ誘導送出し、この送出路１０からパチンコ球放出装置５へパチンコ球を１個づつ送り出す。
【００１７】
【発明の効果】
本発明は上記のような構成であるから、球寄せ案内路の直線斜面部と湾曲斜面部の勾配により２列のパチンコ球を交互に合流させて１列に規制整流して１個づつ順に送出路へ送出する通路の形状と球圧によりパチンコ球の送出路への誘導が迅速確実に行うことができ、余分な部品を不要とし、全体の構造が簡素化され、組み立て作業を容易にし、狭い設置スペースに楽々納め設置可能である。
【図面の簡単な説明】
【図１】本発明のパチンコ球整流装置を設置して示すパチンコ機の裏面図である。
【図２】本発明のパチンコ球整流装置の組立斜視図である。
【図３】（イ）〜（ニ）本発明のパチンコ球整流装置における上流側の２列の球通路から下流側の送出路へ誘導案内される状態を断面で示す作用図である。
【符号の説明】
３              球タンク
４              誘導樋
５              パチンコ球放出装置
７              パチンコ球整流装置
８ａ，８ｂ      球通路
９              球寄せ案内路
１０            送出路
１１            カーブ壁
１６            直線斜面部
１７            折曲斜面部
１８            湾曲斜面部
【図１】
0003688375.tif 000002
【図２】
0003688375.tif 000003
【図３】
0003688375.tif 000004